(57)【要約】      （修正有）【課題】部品点数を少なくしながら光の伝播を抑えることができる導光装置を提供する。【解決手段】並んで配置され、光を発する第１，第２の光源２２ａ，２２ｂと、透光性材料からなり、光を入光する入光部と、該入光部を通じて内部に導入した光を出光させる出光部と、を有し、第１，第２の光源２２ａ，２２ｂに対向して配置される導光部４１ａ，４１ｂと、第２の光源２２ｂから第１の光源２２ａへ向かう第１の方向Ｘに延びる連結部４２と、導光部４１ａ，４１ｂと連結部４２とを接続する接続部４３と、を有する導光部材４と、導光部材４の前面に配置され、前記出光部からの光を透光する前面部材と、を備える導光装置において、接続部４３は、第１の方向Ｘとは傾斜して接続される。【選択図】図４
2020134847.tif 000002
【特許請求の範囲】
【請求項１】
並んで配置され、光を発する第１，第２の光源と、
透光性材料からなり、前記光を入光する入光部と、前記入光部を通じて内部に導入した光を出光させる出光部と、を有し、前記第１，第２の光源に対向して配置される導光部と、前記第２の光源から第１の光源へ向かう第１の方向に延びる連結部と、前記導光部と前記連結部とを接続する接続部と、を有する導光部材と、
前記導光部材の前面に配置され、前記出光部からの光を透光する前面部材と、を備える導光装置において、
前記接続部は、前記第１の方向とは傾斜して接続されることを特徴とする導光装置。
【請求項２】
前記導光部は、前記第１の光源に対向配置される第１の導光部と、前記第２の光源に対向配置される第２の導光部と、を有し、
前記第１の光源と前記第２の光源とを区画すると共に、前記第１の導光部と前記第２の導光部とを区画する第１の仕切壁部と、前記連結部と前記第１，第２の光源及び前記第１，第２の導光部とを区画する第２の仕切壁部と、を有するケース部材とを更に備えることを特徴とする請求項１に記載の導光装置。
【請求項３】
前記接続部は、前記連結部側が前記導光部側より前記第１の方向側に位置することを特徴とする請求項１に記載の導光装置。
【請求項４】
前記接続部は、前記導光部の前記第１の方向側に寄った位置から延出することを特徴とする請求項１に記載の導光装置。
【請求項５】
前記接続部は、屈曲部を有することを特徴とする請求項１に記載の導光装置。
【請求項６】
前記接続部は、前記導光部側が前記導光部から略直交する方向に延出することを特徴とする請求項５に記載の導光装置。
【請求項７】
前記連結部は、前記接続部からの光を前記第１の方向へ反射する反射面を有することを特徴とする請求項１に記載の導光装置。
【請求項８】
前記接続部は、前記連結部側が前記第１の方向と直交する第２の方向における前記連結部側の方向と前記第１の方向とで形成される間の角度で、前記連結部に接続され、
前記第１の光源を起点として発光するバー表示部であることを特徴とする請求項１から請求項７のいずれかに記載の導光装置。
【発明の詳細な説明】
【技術分野】
【０００１】
本開示は、例えば車両用の表示装置やスイッチ装置に適用される導光装置に関し、特に各種インジケータマークを照明、又は、それ自体が視認部品として発光表示をなす導光装置に関する。
【背景技術】
【０００２】
この種の表示装置として、例えば特許文献１に記載された導光装置が知られている。この導光装置は、一列に並んだインジケータマーク（報知部）と、個々のインジケータマークに対応する複数の光源と、これら光源と各インジケータマークの間に配置された複数の導光部とでなり、これら導光部は、光源に対向する入光面（入射面）と、入光面から入光した光を出光させる出光面と、を有すると共に、隣接する各導光部の各出光面同士が一列に並ぶように連結され、各光源の発する光を対応するインジケータマークに導光して発光させるものである。
【先行技術文献】
【特許文献】
【０００３】
【特許文献１】特開２００４−２３３４６６号公報
【発明の概要】
【発明が解決しようとする課題】
【０００４】
ところで前記特許文献１に記載の導光装置は、隣接する導光部同士を各出光面と同一平面をなす連結部を通じて一列に連結する構造であるため、連結部を通じて隣接する導光部に光が伝播しやすく、本来発光させたくない導光体（インジケータ）が発光してしまう疑似点灯が発生しやすいという問題点があった。
【０００５】
そこで本開示の目的は、上記課題に鑑みてなされたものであり、部品点数を少なくしながら光の伝播を抑えることができる導光装置を提供するものである。
【課題を解決するための手段】
【０００６】
上記目的を達成するため、本開示は、並んで配置され、光を発する第１，第２の光源２２ａ，２２ｂと、透光性材料からなり、前記光を入光する入光部４４と、前記入光部４４を通じて内部に導入した光を出光させる出光部４５と、を有し、前記第１，第２の光源２２ａ，２２ｂに対向して配置される導光部４１と、前記第２の光源２２ｂから第１の光源２２ａへ向かう第１の方向Ｘに延びる連結部４２と、前記導光部４１と前記連結部４２とを接続する接続部４３と、を有する導光部材４と、前記導光部材４の前面に配置され、前記出光部４５からの光を透光する前面部材５と、を備える導光装置において、前記接続部４３は、前記第１の方向Ｘとは傾斜して接続されることを特徴とする。
【発明の効果】
【０００７】
本開示は、部品点数を少なくしながら光の伝播を抑えることができる導光装置を提供することができる。
【図面の簡単な説明】
【０００８】
【図１】本開示の実施形態に係る導光装置の正面図。
【図２】図１のＡ−Ａ線に沿った断面図。
【図３】本開示の実施形態に係る導光装置の表示板を省いた正面図。
【図４】本開示の実施形態に係る導光部材の要部正面図。
【発明を実施するための形態】
【０００９】
本開示の実施形態について図１乃至４を参照して説明するが、本開示はこれら実施形態に限定されるものではなく、本開示を逸脱することなく種々の変更が可能である。
【００１０】
本開示の実施形態に係る導光装置１００は、車両（例えば、自動車）のインストルメントパネルの中に搭載され、所定の計測量（車両速度等）を運転者へ表示する計器装置に用いられる。
【００１１】
尚、以下では、導光装置１００の構成の理解を容易にするために、各部材に対して、導光装置１００から車両運転席に着座した運転者を見る方向を「前（正面）」、その反対側を「後（背面）」とし、それぞれを図中の矢印の「Ｆｒ．」、「Ｒｅ．」で示す。また、その他、「上」、「下」、「左」、「右」を図中の矢印「Ｔｏ．」、「Ｂｏ．」、「Ｌ」、「Ｒ」として適宜説明する。
【００１２】
導光装置１００は、表示部として、アナログ計器部１０１と、画像表示部１０２と、バー表示部１０３と、を有する。
【００１３】
導光装置１００は、回路基板１と、光源２と、ケース部材３と、導光部材４と、表示板（前面部材）５と、指針６と、表示器７と、を主に有する。
【００１４】
アナログ計器部１０１は、指標部５１と指針６とから構成されるアナログ式計器であり、車両の速度を表示する。指針６は、透明及び不透明な合成樹脂からなり、表示板５の前方に配置される。指針６は、回路基板１に装着された指針駆動部（図示せず）により、指標部５１を回転指示する。指標部５１及び指針６は、光源（図示せず）からの光を受けて発光する。
【００１５】
画像表示部１０２は、表示器７を有し、オドメータ，トリップメータ，シフトポジションを含む各種車両情報の表示を行う。表示器７は、ＴＦＴ（Ｔｈｉｎ  Ｆｉｌｍ  Ｔｒａｎｓｉｓｔｏｒ）モジュール等の液晶表示手段や、有機ＥＬ（Ｅｌｅｃｔｒｏ  Ｌｕｍｉｎｅｓｃｅｎｃｅ）モジュール等からなる。表示器７は、表示板５の背後に配置され、透視部５２から視認される。
【００１６】
表示器７は、以下図示しないが、背面からＦＰＣ（Ｆｌｅｘｉｂｌｅ  Ｐｒｉｎｔｅｄ  Ｃｉｒｃｕｉｔｓ）が回路基板１に向かい垂れ下がり、ＦＰＣの先端が回路基板１の裏面側に実装されたＦＰＣコネクタに装着されて回路基板１との通電を可能とし、回路基板１からの入力信号に基づいて上記各種情報を表示させる。
【００１７】
バー表示部１０３は、燃料計１０３ａと、水温計１０３ｂと、を有する。燃料計１０３ａは、車両の燃料の残量を指示する計器である。水温計１０３ｂは、車両の冷却水の温度を指示する計器である。以下では主にバー表示部１０３の構成を説明するが、燃料計１０３ａと水温計１０３ｂとは左右対称の構造であるため、主に燃料計１０３ａの構造に限定して説明する。
【００１８】
回路基板１は、例えばＦＲ−４（Ｆｌａｍｅ  Ｒｅｔａｒｄａｎｔ−４）等のガラスエポキシ系基材に配線パターン（図示せず）を施した硬質回路基板からなる。回路基板１は、制御部（図示せず）と、光源２と、を主に有している。
【００１９】
制御部は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を有しており、例えば、ＲＯＭに書き込まれたプログラムに従って所定の演算処理を実行する。制御部は、例えば、車両のＥＣＵ（Ｅｌｅｃｔｒｏｎｉｃ  Ｃｏｎｔｒｏｌ  Ｕｎｉｔ）から車速、各種車両情報等を、各種センサ等を介して取得する。制御部は、取得した情報に基づき、光源２や指針駆動部や表示器７等を駆動制御する。
【００２０】
表示板５は、例えば透明又は半透明の透光性の合成樹脂（例えば、ＰＣ：ポリカーボネート）からなる薄板状の基材からなり、裏面に遮光性のインキ５ａや、透光性のインキ５ｂが印刷される。表示板５は、ケース部材３の前面に配置される。表示板５は、指標部５１と、透視部５２と、意匠部５３と、セグメント部５４と、を有する。
【００２１】
指標部５１は、文字や数字や目盛りの意匠に形成され、アナログ計器部１０１の意匠となる。透視部５２は、表示器７に対向する位置に矩形に形成され、表示器７を視認可能とする。意匠部５３は、一列に並んだＦ（Ｆｕｌｌ）や燃料マークやＥ（Ｅｍｐｔｙ）の意匠に形成され、バー表示部１０３の指標となる。セグメント部５４は、複数個（４個）の矩形の意匠に形成され、バー表示部１０３の目盛りとなる。
【００２２】
セグメント部５４は、第１セグメント５４ａと、第２セグメント５４ｂと、を有する。第１，第２セグメント５４ａ，５４ｂは、意匠部５３に平行に並んで配置される。第１セグメント５４ａは、意匠部５３のＥの意匠の近くに配置される。第２セグメント５４ｂは、第１セグメント５４ａの隣の意匠部５３のＦの意匠側に配置される。
【００２３】
光源２は、各色の光を発する発光ダイオード（ＬＥＤ：Ｌｉｇｈｔ  Ｅｍｉｔｔｉｎｇ  Ｄｉｏｄｅ）等で構成される。光源２は、回路基板１の前方に配置（実装）される。光源２は、意匠用光源２１と、セグメント用光源２２と、を有する。意匠用光源２１は意匠部５３に対向する位置に２個配置される。セグメント用光源２２は、セグメント部５４に対向する位置に、セグメント部５４の複数個の矩形の意匠の数と同数が配置される。
【００２４】
セグメント用光源２２は、第１,第２セグメント５４ａ,５４ｂにそれぞれ対向するように配置される第１セグメント用光源（第１の光源）２２ａと、第２セグメント光源（第２の光源）２２ｂと、を有する。４個のセグメント用光源２２は、意匠部５３のＥの意匠側である第１セグメント光源２２ａを起点として第１セグメント光源２２ａから順次点灯する。つまり、第２セグメント光源２２ｂは、第１セグメント光源２２ａが明るくなった後に明るくなる。また、４個のセグメント用光源２２は、意匠部５３のＦの意匠側から順次消灯する。つまり、第１セグメント光源２２ａは、第２セグメント光源２２ｂが暗くなった後に暗くなる。
【００２５】
導光部材４は、透光性材料（透明な合成樹脂（例えば、ＰＭＭＡ：アクリル））からなる。導光部材４は、導光部４１と、連結部４２と、接続部４３と、有する。導光部４１は、表示板５と光源２との間に配置され、表示板５と回路基板１の方向に延びる四角柱に形成される。導光部４１は、入光部４４と、入光部４５と、を有する。入光部４４は、セグメント用光源２２に対向配置され、セグメント用光源２２からの光を入光する平面又は曲面に形成される面である。入光部４５は、入光部４４を通じて内部に導入した光を、セグメント部５４へ出光する平面又は曲面に形成される面である。
【００２６】
導光部４１は、第１導光部（第１の導光部）４１ａと、第２導光部（第２の導光部）４１ｂと、を有する。第１導光部４１ａは、第１セグメント５４ａと第１セグメント用光源２２ａに対向するように配置される。第２導光部４１ｂは、第２セグメント５４ｂと第２セグメント用光源２２ｂに対向するように配置される。
【００２７】
図４に示すように、連結部４２は、断面矩形で第１の方向Ｘに延びる棒状に形成される。ここで、第１の方向Ｘとは、第２セグメント用光源２２ｂから第１セグメント用光源２２ａへ向かう方向（又は、第２セグメント５４ｂから第１セグメント５４ａへ向かう方向、又は、第２導光部４１ｂから第１導光部４１ａへ向かう方向）である。連結部４２は、表示板５に近い側で導光部４１に並んで配置される。
【００２８】
連結部４２は、反射面４２ａを有する。反射面４２ａは、連結部４２の接続部４３の接続される面とは反対側の面であり、接続部４３の延長線上の位置に形成される面である。反射面４２ａは、接続部４３から漏れたセグメント用光源２２からの光を第１の方向Ｘへ反射する。
【００２９】
接続部４３は、断面矩形の棒状に形成され、導光部４１と連結部４２とを接続する。接続部４３は、第１，第２導光部４１ａ，４１ｂにそれぞれ対応して配置される。接続部４３は、第１接続部４３ａと、第２接続部４３ｂと、屈曲部４３ｃと、を有する。
【００３０】
第１接続部４３ａは、導光部４１の表示板５側から連結部４２に向かって延出する直線状に形成される。第１接続部４３ａは、導光部４１から第２の方向Ｙの連結部４２側に向かって延出する。ここで、第２の方向Ｙとは、第１の方向Ｘと直交する方向である。第１接続部４３ａは、導光部４１側が第１の方向Ｘ側に寄った位置から延出する。
【００３１】
第２接続部４３ｂは、一端が第１接続部４３ａの端部から延出する直線状又は曲線状に形成され、他端が連結部４２と結合される。屈曲部４３ｃは、第１接続部４３ａと第２接続部４３ｂの接合部であり、略くの字に折れ曲がった形状に形成される。第２接続部４３ｂは、連結部４２側が導光部４１側よりも第１の方向Ｘ側に位置するよう接続され、第１の方向Ｘとは傾斜して接続されている。つまり、第２接続部４３ｂは、連結部４２側が第２の方向Ｙにおける連結部４２側と、第１の方向Ｘと、で形成される間の角度Ｄの範囲の角度（例えば、図中の矢印Ｚ方向）で連結部４２に接続される。
【００３２】
ケース部材３は、遮光性の白色の合成樹脂（例えば、ＰＰ：ポリプロピレン）からなる。ケース部材３は、回路基板１と表示板５の間に配置され、前面が表示板５に当接し、後面が回路基板１に当接する。ケース部材３は、光源２を区画するように壁で仕切られた第１照明室３１と、第２照明室３２と、連結部収容部３３と、を有する。
【００３３】
第１照明室３１は、意匠用光源２１を収容し、意匠用光源２１からの光を表示板５に案内するように形成される。第２照明室３２は、セグメント用光源２２を収容し、セグメント用光源２２からの光を表示板５の意匠部５３に案内するように形成される。第２照明室３２は、第１，第２セグメント光源２２ａ，２２ｂ、第１，第２セグメント５４ａ，５４ｂ、及び、第１，第２導光部４１ａ，４１ｂをそれぞれ１個ずつに区画する第１仕切壁（第１の仕切壁部）３２ａを有する。
【００３４】
連結部収容部３３は、導光部材４の後述する連結部４２を収容する。ケース部材３は、第２照明室３２と連結部収容部３３とを区画する第２仕切り壁（第２の仕切壁部）３５を有する。第２仕切り壁３５は、第２照明室３２、又は、連結部収容部３３の壁の一部である。第２仕切り壁３５は、凹部３５ａを有する。凹部３５ａは、第２仕切り壁３５の表示板５側に設けられた凹状の溝である。凹部３５ａは、第２接続部４３ｂ（接続部４３）が載置される。
【００３５】
このように形成されることにより、意匠用光源２１が発光すると、その光が意匠部５３を透過し、意匠部５３が発光する。セグメント用光源２２が発光すると、その光が入光部４４から導光部４１へ入射し、入射した光は入光部４５から出光し、出光した光はセグメント部５４を透過し、セグメント部５４が発光する。
【００３６】
第１セグメント用光源２２ａが発光すると、第１セグメント５４ａが発光する。この時、第１導光部４１ａを導光する光は、接続部４３を介して連結部４２に導光する。連結部４２を導光する光は、第２接続部４３ｂが連結部４２とは角度Ｄで接続されているため、連結部４２の中を第１の方向Ｘに導光されるので、第２導光部４１ｂの方へは導光し難い。よって、第２セグメント５４ｂが発光していない場合に、連結部４２を導光する光が、接続部４３を介して第２導光部４１ｂへ導光し、第２セグメント５４ｂを発光させる疑似点灯を低減することができる。
【００３７】
また、第１接続部４３ａは、導光部４１側が第１の方向Ｘ側に寄った位置に繋がれている。つまり、第１導光部４１ａにおいては、第２導光部４１ｂから離れた位置に繋がれているので、より第２セグメント５４ｂを発光させる疑似点灯を低減することができる。
【００３８】
また、連結部４２は反射面４２ａを有するので、接続部４３を介して連結部４２に導光した光は、第１の方向Ｘに導光されるので、第２導光部４１ｂの方へは導光し難い。よって、より第２セグメント５４ｂを発光させる疑似点灯を低減することができる。
【００３９】
尚、本開示は前述した本実施形態に限定されるものでなく、本開示の要旨の範囲において、種々の変形が可能である。
【００４０】
例えば、全ての接続部４３は、連結部４２とは角度Ｄの範囲で接続されていたが、バー表示部１０３の点灯の起点となる第１導光部４１ａに繋がる接続部４３のみが、角度Ｄではなく連結部４２と最短距離となるように接続されてあってもよい。入光部４５は、表示板５の背面側であったが、表示板５の前面側まで突出形成されていてもよい。また、導光部材４には、適宜、シボ等の表面処理が形成されてあってもよい。また、表示板５は、透光性のインキ５ｂを有していたが、入光部４５を視認可能とする開口であってもよい。
【００４１】
本開示は、導光装置に関し、例えば、自動車やオートバイ、あるいは農業機械や建設機械を備えた移動体に搭載される導光装置に適用することができる。
【符号の説明】
【００４２】
１  回路基板
２  光源
２２ａ  第１光源（第１の光源）
２２ｂ  第２光源（第２の光源）
３  ケース部材
３２ａ  第１仕切壁部
３５  第２仕切壁部
４  導光部材
４１  導光部
４１ａ  第１導光部（第１の導光部）
４１ｂ  第２導光部（第２の導光部）
４２  連結部
４２ａ  反射面
４３  接続部
４３ｃ  屈曲部
４４  入光部
４５  出光部
５  表示板（前面部材）
６  指針
７  表示器
１０１  アナログ計器部
１０２  画像表示部
１０３  バー表示部
Ｄ  角度
Ｘ  第１の方向
Ｙ  第２の方向
【図１】
2020134847.tif 000003
【図２】
2020134847.tif 000004
【図３】
2020134847.tif 000005
【図４】
2020134847.tif 000006